(57)【要約】【課題】  シリンダ錠を小型化することができる複合ディスクタンブラー錠の鍵を提供する。【解決手段】  内周面の母線に沿ってカム溝２を形成した外筒１と、この外筒１に回動可能に嵌合し、中心軸線に沿って鍵孔４を開口させた内筒３と、この内筒３の母線に沿って延在し、内筒の外周部において半径方向に移動可能に案内されると共に、半径方向外方に付勢されたロッキングバー６とを設け、上記内筒３の中心軸線に沿って設けられた複数のスロット８、８の夫々に、鍵孔４を包囲できる鍵挿通孔１１を開口させたディスクタンブラー９を長手方向に移動可能に収納し、一方、ディスクタンブラー９のロッキングバー６に対向する側の側端縁に解錠切欠１３を形成し、他方、合鍵の上面及び／又は下面に、その長さ方向に延在し幅方向に屈曲する鍵溝１５を形成し、合鍵５が鍵孔に挿入されたとき、各ディスクタンブラーの解錠切欠がロッキングバー６と整合するようにする。【選択図】  図１
2010180700.tif 000002
【特許請求の範囲】
【請求項１】
内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の合鍵の幅方向に沿う開口端縁に、内側に突出する係合突起を一体に突設し、他方、合鍵の上面及び／又は下面に、その長さ方向に延在し幅方向に屈曲する鍵溝を形成すると共に、合鍵の先端における鍵溝に上記係合突起が係入できる導入部を形成し、以て、合鍵を鍵孔に挿入することにより各ディスクタンブラーを合鍵の幅方向に駆動できるようにし、合鍵を完全に鍵孔に挿入したとき、各ディスクタンブラーの解錠切欠がロッキングバーの内側縁と整合するようにしたことを特徴とする複合ディスクタンブラー錠の合鍵であって、上記各ディスクタンブラーの鍵挿通孔の合鍵の幅方向に沿う開口端縁に、内側に突出する係合突起を一体に突設し、他方、合鍵の上面及び／又は下面に、その長さ方向に延在し幅方向に屈曲する鍵溝を形成すると共に、合鍵の先端における鍵溝に上記係合突起が係入できる導入部を形成したことを特徴とする複合ディスクタンブラー錠の鍵。
【発明の詳細な説明】
【技術分野】
【０００１】
この発明は、所謂ディスクタンブラー錠とレバータンブラー錠を複合した新規な複合ディスクタンブラー錠の鍵に係り、特に、シリンダ錠を小型化することができる複合ディスクタンブラー錠の鍵に関する。
【背景技術】
【０００２】
本出願人は、先に、後記特許文献１を以て、新規な複合ディスクタンブラー錠を提案した。
【０００３】
この複合ディスクタンブラー錠は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の合鍵の幅方向に沿う開口端縁に、内側に突出する係合突起を一体に突設し、他方、合鍵の上面及び／又は下面に、その長さ方向に延在し幅方向に屈曲する鍵溝を形成すると共に、合鍵の先端における鍵溝に上記係合突起が係入できる導入部を形成し、以て、合鍵を鍵孔に挿入することにより各ディスクタンブラーを合鍵の幅方向に駆動できるようにし、合鍵を完全に鍵孔に挿入したとき、各ディスクタンブラーの解錠切欠がロッキングバーの内側縁と整合するようにしたことを特徴とするものである。
【先行技術文献】
【特許文献】
【０００４】
【特許文献１】特開２００８−２８０７６９
【発明の概要】
【発明が解決しようとする課題】
【０００５】
上記した特許文献１に記載の複合タンブラー錠は、勿論所期の機能を発揮し、充分にその発明の目的を達成している。
【０００６】
この発明は、特許文献１に記載の複合タンブラー錠の発明に内在している複合タンブラー錠の鍵の発明を分割して抽出し、これに独立した保護を求めることを目的としている。
【課題を解決するための手段】
【０００７】
上記の目的を達成するため、請求項１に記載の発明は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の合鍵の幅方向に沿う開口端縁に、内側に突出する係合突起を一体に突設し、他方、合鍵の上面及び／又は下面に、その長さ方向に延在し幅方向に屈曲する鍵溝を形成すると共に、合鍵の先端における鍵溝に上記係合突起が係入できる導入部を形成し、以て、合鍵を鍵孔に挿入することにより各ディスクタンブラーを合鍵の幅方向に駆動できるようにし、合鍵を完全に鍵孔に挿入したとき、各ディスクタンブラーの解錠切欠がロッキングバーの内側縁と整合するようにしたことを特徴とする複合ディスクタンブラー錠の合鍵であって、上記各ディスクタンブラーの鍵挿通孔の合鍵の幅方向に沿う開口端縁に、内側に突出する係合突起を一体に突設し、他方、合鍵の上面及び／又は下面に、その長さ方向に延在し幅方向に屈曲する鍵溝を形成すると共に、合鍵の先端における鍵溝に上記係合突起が係入できる導入部を形成したことを特徴とする。
【発明の効果】
【０００８】
上記のように構成されたこの発明による複合ディスクタンブラー錠の鍵は、複合タンブラー錠と組み合わされた技術的思想の鍵としての側面を有するから、前記特許文献１に記載の複合タンブラー錠と同じ効果を奏する。
【０００９】
すなわち、タンブラーの動きはディスクタンブラー錠のそれと同じであり、また、施解錠のメカニズムはレバータンブラー錠のそれと同じである。
【００１０】
したがって、施錠状態の複合ディスクタンブラー錠の鍵孔に鋼鉄の板を差込み、内筒を無理に回そうとする力は、ロッキングバーを介してこれと直交する少なくとも１枚のディスクタンブラーの側端縁を幅方向に押圧するように作用する。
【００１１】
そして、複合ディスクタンブラー錠の錠止力はロッキングバーに印加されるディスクタンブラーからの反力であり、主にディスクタンブラーの横断面形状を円弧状に変形させる、換言すれば幅方向に座屈させようとする力に対する反力であるところ、この場合の座屈荷重はディスクタンブラーの幅方向の寸法の自乗に反比例するから、ディスクタンブラーが薄くなり、また、幅寸法が小さくなったとしても、錠止力は増大することはあっても減少することはない。
【００１２】
つまり、錠止力を充分に保持した小型のシリンダ錠を提供する、という本願発明の所期の効果を奏する。
【００１３】
加えて、タンブラーの係合突起と係合する合鍵上面及び／又は下面に形成された鍵溝は倣いフライス盤では形成できないので、合鍵の複製が困難であり、したがって錠前としての安全性が向上する、等種々の効果を奏する。
【図面の簡単な説明】
【００１４】
【図１】この発明の一実施例による複合ディスクタンブラー錠の要部拡大横断面図。
【図２】この発明による複合ディスクタンブラー錠の合鍵の拡大平面図。
【発明を実施するための形態】
【００１５】
ディスクタンブラー錠とレバータンブラーを複合することにより、錠止力が大きく小型のシリンダ錠を構成することができた。
【実施例１】
【００１６】
以下、図面を参照してこの発明の一実施例を説明する。
なお、本来シリンダ錠とその合鍵とは相互に独立した技術的思想ではなく、有機的かつ一体的に結合されて一つの技術的思想を形成するものであるから、鍵を説明するためにはそれを合鍵とする複合ディスクタンブラー錠も共に説明しなければならない。
【００１７】
そこで、鍵の説明に先立ってその複合ディスクタンブラー錠の説明から始める。
【００１８】
図１において符号１は外筒を示し、この外筒１の内周面における所定の角度位置（図示の実施例では時計盤面に換算して６時の角度位置）に横断面が略Ｖ字形のカム溝２が形成されている。
【００１９】
この外筒１の内筒部には、中心軸線に沿って鍵孔４を開口させた内筒３が回動可能に嵌合されていて、通常のディスクタンブラー錠の内筒と同様に、この鍵孔に合鍵５を挿入して施解錠操作を行う。
【００２０】
また、内筒２の所定の角度位置における外周部に、図面を明瞭にするため付番しない、横断面が略凸字形のロッキングバー案内溝が形成されており、このロッキングバー案内溝中に、内筒の母線に沿って延在するロッキングバー６が内筒の半径方向に移動可能に案内されている。
【００２１】
そして、ロッキングバー６の両端に弾装された圧縮コイルばねとしてのロッキングバーばね７の弾力により、ロッキングバー６は外方に、換言すれば上記カム溝２に係入する方向、すなわち、図１で下方に付勢されている。
【００２２】
これらの構成は、前記したレバータンブラー錠のそれと同様であるから、更に詳細な説明は省略する。
【００２３】
一方、内筒２の軸線に沿って複数のスロット８、８が形成されており、各スロット８にディスクタンブラー９が内筒の半径方向に移動可能に収納されている。      
【００２４】
このディスクタンブラー９の移動方向は、図１に示すように、上記ロッキングバー６の移動方向に垂直な方向、すなわち図１で左右方向である。
【００２５】
なお、前記ディスクタンブラー錠におけるディスクタンブラーの長さは内筒の直径とほぼ同じに設定されており、図１におけるディスクタンブラー９の長さはそれより短いのだが、この発明による複合ディスクタンブラー錠はディスクタンブラー錠の一種であるから、図１におけるものもディスクタンブラーと称することにする。
【００２６】
また、各ディスクタンブラー９の中央部には、鍵孔４を包囲できる大きさの鍵挿通孔１１が長手方向に沿って開口している。
【００２７】
そして、各ディスクタンブラー９は、タンブラーばね１２の弾力により、図示の実施例では長手方向の右方に付勢されている。
【００２８】
他方、ロッキングバー６の内側縁に対向するディスクタンブラーの側端縁の所定の位置に、ロッキングバー６の内側縁が係入できる解錠切欠１３が形成されている。
【００２９】
また、ディスクタンブラーの鍵挿通孔１１の４つの開口端縁の内合鍵５の幅方向に沿う、すなわち、図１で水平な長い方の開口端縁に、内側（図１で上方）に突出する矩形の係合突起１４が一体に突設されている。
【００３０】
この係合突起１４は、合鍵５を鍵孔４に挿入した状態において、合鍵５の上面及び／又は下面に形成された鍵溝１５（図２参照）に係入している。
【００３１】
図示の実施例における複合ディスクタンブラー錠は、合鍵を裏返して挿入しても施解錠が可能な所謂リバーシブルキーなので、上記鍵溝１５、１５は合鍵の両面に、対称的に配設されている。
【００３２】
なお、上記合鍵５の上面、或いは下面とは、合鍵５の鍵孔４に挿入される本体部の４つの表面の内、幅の広い方の表面（図１で上、又は下の面）をいうものとする。
【００３３】
上記鍵溝１５は、図２に示すように、合鍵の長さ方向（図２で左右方向）に延在し、幅方向（図２で上下方向に）屈曲する溝で、その先端（図２で右端）は斜に拡開されて導入部１６が形成され、合鍵挿入時係合突起１４が鍵溝１５に円滑に係入できるように構成されている。
【００３４】
また、合鍵が鍵孔に挿入されるとき、上記ディスクタンブラーの係合突起１４が上記導入部１６と整合するように、その突設位置が設定されているものとする。
【００３５】
なお、図１において符号１７は鍵孔４と平行に延在するストッパー杆を、符号１８はディスクタンブラーに開口した長穴を示し、これらストッパー杆、長穴はディスクタンブラー９の行程を規制する。
【００３６】
ちなみに、上記ストッパー杆の位置をロッキングバー６の移動方向の延長と交差するようにすれば、ディスクタンブラーの剛性が増大する。
【００３７】
上記のように構成されたこの発明の一実施例による複合ディスクタンブラー錠は、その合鍵を鍵孔に挿入すると、先ず鍵溝１５の導入部１６が最外端のディスクタンブラーの係合突起１４と係合し、以降、鍵を挿入するにつれ、鍵溝１５の内壁と係合突起１４との間に生じる楔作用により、ディスクタンブラー９は図１で左右方向に揺動を繰り返し、合鍵を鍵孔に完全に挿入したとき、通常、ディスクタンブラーは図２に示す鍵溝の山部或いは谷部と係合し、各ディスクタンブラーの解錠切欠１３がロッキングバー６の内側縁に整合する。
【００３８】
したがって、合鍵を介して内筒３を所定の方向に回せば、カム溝２とロッキングバーの外側縁との間に生じる楔作用により、ロッキングバー６がカム溝２から押し出され、内筒中心軸線方向に移動しようとする。
【００３９】
このときにはロッキングバー６の移動を妨げるものは無いから、ロッキングバー６は内筒中心軸線方向に更に移動し、結局ロッキングバー６が外筒内周面に乗り上がり、このようにして複合ディスクタンブラー錠は解錠される。
【００４０】
鍵孔４に差込まれた鍵が異鍵であるときには、図１に示すように少なくとも１枚のディスクタンブラー９の解錠切欠１３とロッキングバー６との位置がずれる。
【００４１】
この状態で内筒を回すと、ロッキングバー６はディスクタンブラー９と直交する関係位置でディスクタンブラー９の側端縁に押し付けられる。
【００４２】
そして、ロッキングバー６がディスクタンブラー９に呈する力はディスクタンブラーを座屈させる方向に働き、前記したように、座屈荷重はディスクタンブラーの幅方向の寸法の自乗に反比例するので、ディスクタンブラーの寸法が小さくなるほど座屈荷重が増大する、という自然法則を利用し、この発明による複合ディスクタンブラー錠は小型化しても錠止力を大きく保つことができる。
【００４３】
なお、ロッキングバー６或いはディスクタンブラー９の材質によっては、両者の接触箇所において何れか一方、或いは両方に傷がつく、或いは塑性変形が生じるという場合が考えられるが、このような場合には、ロッキングバー６及び／又はディスクタンブラー９の材質を硬いものに変えれば良い。
【００４４】
また、図２において符号１９は合鍵の側端縁の所定の箇所に形成された擂鉢形の窪みを示し、合鍵挿入時、ディスクタンブラーの短い方の開口端縁に突出形成された図示しない係合突起がこの窪み１９と係合してディスクタンブラーの位置を規定するが、このことは本発明とは関係が無いので、更に詳細な説明は省略する。
【符号の説明】
【００４５】
１  外筒
２  カム溝
３  内筒
４  鍵孔
５  合鍵
６  ロッキングバー
７  ロッキングバーばね
８  スロット
９  ディスクタンブラー
１１  鍵挿通孔
１２  タンブラーばね
１３  解錠切欠
１４  係合突起
１５  鍵溝
１６  導入部
１７  ストッパー杆
１８  長穴
１９  窪み
【図１】
2010180700.tif 000003
【図２】
2010180700.tif 000004